(57)【要約】【課題】  電池パックが純正品であるか否かに関する情報等をユーザに通知できるようにし、ユーザに当該電池パックの種類に適した動作が選択してもらえるようにする。【解決手段】  電子機器（１００）は、電池パック（２００）が純正品であるか否かを判定するための判定処理を行う判定手段（１０１）と、前記電池パックが純正品でないものと判定された場合に、前記電池パックが純正品であるか否かを問い合わせるための情報を表示する表示手段（１０２）とを有する。【選択図】  図１
2015125426.tif 000002
【特許請求の範囲】
【請求項１】
電池パックが純正品であるか否かを判定するための判定処理を行う判定手段と、
前記電池パックが純正品でないものと判定された場合に、前記電池パックが純正品であるか否かを問い合わせるための情報を表示する表示手段と
を有することを特徴とする電子機器。
【請求項２】
前記電池パックが純正品でないものと判定された場合に、前記電池パックが純正品であることがユーザによって選択された場合、前記表示手段は、前記電池パックが模倣品であるかもしれないことを通知するための情報を表示することを特徴とする請求項１に記載の電子機器。
【請求項３】
前記電池パックが純正品でないものと判定された場合に、前記電池パックが純正品であることがユーザによって選択された場合、前記表示手段は、前記電池パックが故障品であるかもしれないことを通知するための情報を表示することを特徴とする請求項１または２に記載の電子機器。
【請求項４】
前記電池パックが純正品でないものと判定された場合に、前記電池パックが純正品であることがユーザによって選択された場合、前記電子機器をパワーオフ状態に移行させることを特徴とする請求項１から３のいずれか１項に記載の電子機器。
【請求項５】
前記電池パックが純正品でないものと判定された場合に、前記電池パックが純正品でないものであることがユーザによって選択された場合、前記表示手段は、前記電池パックを使用するか否かを問い合わせるための情報を表示することを特徴とする請求項１から４のいずれか１項に記載の電子機器。
【請求項６】
前記電池パックが純正品でないものと判定された場合に、前記電池パックが純正品でないものであることがユーザによって選択された場合、前記表示手段は、前記電池パックが純正品でないものであるかもしれないことをユーザに気づかせるための情報を表示することを特徴とする請求項１から４のいずれか１項に記載の電子機器。
【請求項７】
前記電池パックが純正品でないものと判定された場合、前記表示手段は、前記電池パックの認証が失敗したことを通知するための情報を表示することを特徴とする請求項１から６のいずれか１項に記載の電子機器。
【請求項８】
前記電池パックが純正品であると判定された場合、前記表示手段は、前記電池パックが純正品であることを通知するための情報を表示することを特徴とする請求項１から７のいずれか１項に記載の電子機器。
【請求項９】
前記判定処理が行われる前に、前記電池パックのメーカー又はベンダーに関する情報を受信することを特徴とする請求項１から８のいずれか１項に記載の電子機器。
【請求項１０】
前記判定処理が行われた後に、前記電池パックのメーカー又はベンダーに関する情報を受信することを特徴とする請求項１から８のいずれか１項に記載の電子機器。
【請求項１１】
電池パックが純正品であるか否かを判定するための判定処理を行う判定ステップと、
前記電池パックが純正品でないものと判定された場合に、前記電池パックが純正品であるか否かを問い合わせるための情報を表示手段に表示させる表示ステップと
を有することを特徴とする制御方法。
【請求項１２】
電池パックが純正品であるか否かを判定するための判定処理を行う判定手段と、
前記電池パックが純正品でないものと判定された場合に、前記電池パックが純正品であるか否かを問い合わせるための情報を表示する表示手段
としてコンピュータを機能させるためのプログラム。
【発明の詳細な説明】
【技術分野】
【０００１】
本発明は、電池パックが接続される電子機器等に関する。
【背景技術】
【０００２】
特許文献１には、電池パックが接続される電子機器が記載されている。特許文献１には、電池パックが正規なものであるか否かを判定するための判定処理が電子機器で行われることが記載されている。
【先行技術文献】
【特許文献】
【０００３】
【特許文献１】特開２００３−１６２９８６号公報
【発明の概要】
【発明が解決しようとする課題】
【０００４】
特許文献１に記載されている判定処理の実行によって電池パックの認証が成功した場合、電池パックは、純正品であると判定することができる。しかしながら、特許文献１に記載されている電子機器は、電池パックが純正品であるか否かに関する情報をユーザに知らせてはいない。そのため、ユーザは、電池パックが純正品である否かを知ることはできない。
【０００５】
特許文献１に記載されている判定処理の実行によって電池パックの認証が失敗した場合、電池パックは、純正品でないものと判定することができる。しかしながら、電池パックの認証に失敗した場合であっても、電池パックが非純正品であるとは限らない。この場合、もしかしたら電池パックは故障中の純正品であるかもしれないし、故障中の非純正品であるかもしれない。ところが、特許文献１に記載されている電子機器は、もしかしたら電池パックが故障品（故障中の純正品を含む）であるかもしれないことをユーザに知らせることはできない。
【０００６】
特許文献１に記載されている判定処理の実行によって電池パックの認証に失敗した場合であっても、ユーザは、電池パックが純正品であると信じているかもしれない。しかしながら、特許文献１に記載されている電子機器は、電池パックが純正品であると信じているかもしれないユーザに、電池パックが純正品ではないかもしれないことを知らせることはできない。
【０００７】
特許文献１に記載されている判定処理の実行によって電池パックの認証に失敗した場合であっても、ユーザは、電池パックを使用したい場合がある。このような場合であっても、電池パックが純正品でないことをユーザに知らせた上で、電池パックを使用できるようにするのが望ましい。しかしながら、このような制御は、特許文献１に記載されている電子機器ではできない。
【０００８】
そこで、本発明は、電池パックが純正品であるか否かに関する情報等をユーザに通知できるようにし、ユーザに当該電池パックの種類に適した動作を選択してもらえるようにすることを目的とする。
【課題を解決するための手段】
【０００９】
本発明に係る電子機器は、電池パックが純正品であるか否かを判定するための判定処理を行う判定手段と、前記電池パックが純正品でないものと判定された場合に、前記電池パックが純正品であるか否かを問い合わせるための情報を表示する表示手段とを有することを特徴とする。
【００１０】
本発明に係る制御方法は、電池パックが純正品であるか否かを判定するための判定処理を行う判定ステップと、前記電池パックが純正品でないものと判定された場合に、前記電池パックが純正品であるか否かを問い合わせるための情報を表示手段に表示させる表示ステップとを有することを特徴とする。
【００１１】
本発明に係るプログラムは、電池パックが純正品であるか否かを判定するための判定処理を行う判定手段と、前記電池パックが純正品でないものと判定された場合に、前記電池パックが純正品であるか否かを問い合わせるための情報を表示する表示手段としてコンピュータを機能させるためのプログラムである。
【発明の効果】
【００１２】
本発明によれば、電池パックが純正品であるか否かに関する情報等をユーザに通知できるようにし、ユーザに当該電池パックの種類に適した動作を選択してもらえるようにすることができる。
【図面の簡単な説明】
【００１３】
【図１】実施形態１における電子機器が有する構成要素の一例と、実施形態１における電池パックが有する構成要素の一例とを説明するための図である。
【図２】図１に示す電子機器１００で行われる制御処理の一例を説明するための図である。
【図３】図１に示す電子機器１００の表示器１０２に表示される第１の通知情報の一例を説明するための図である。
【図４】図１に示す電子機器１００の表示器１０２に表示される第２の通知情報の一例を説明するための図である。
【図５】図１に示す電子機器１００の表示器１０２に表示される第３の通知情報の一例を説明するための図である。
【発明を実施するための形態】
【００１４】
以下、図面を参照して本発明の実施形態を説明する。ただし、本発明の実施形態は以下の実施形態に限定されるものではない。
【００１５】
［実施形態１］
図１は、実施形態１における電子機器が有する構成要素の一例と、実施形態１における電池パックが有する構成要素の一例とを説明するための図である。
【００１６】
図１を参照して、電子機器１００が有する構成要素の一例を説明する。ただし、電子機器１００が有する構成要素は、図１に示す構成要素に限るものではなく、図１に示す構成要素以外の構成要素を含む。
【００１７】
電子機器１００は、例えば、撮像装置として動作する装置である。電子機器１００は、例えば、カメラ、ビデオカメラ、カメラを有する携帯電話、又は、カメラを有する携帯機器として動作する。
【００１８】
電子機器１００は、図１に示すように、プロセッサ１０１と、表示器１０２と、カメラ部１０３と、操作部１０４と、＋端子１０５と、−端子１０６と、Ｄ端子１０７と、Ｔ端子１０８とを有する。電池パック２００が電子機器１００に接続された場合、電池パック２００からの電力は、プロセッサ１０１、表示器１０２、カメラ部１０３及び操作部１０４に供給される。
【００１９】
プロセッサ１０１は、電子機器１００の動作を制御する制御部として動作するように構成されている。表示器１０２、カメラ部１０３及び操作部１０４は、プロセッサ１０１に接続され、プロセッサ１０１によって制御される。
【００２０】
プロセッサ１０１はさらに、プロセッサ２０２との通信を制御する通信制御部として動作するように構成されている。プロセッサ１０１は、電池パック２００に関する情報をプロセッサ２０２から受信することができる。電池パック２００に関する情報は、電池パック２００の種類に関する情報、電池パック２００のメーカー（製造元）又はベンダー（販売元）に関する情報、電池パック２００の残量に相当する情報などを含む。ここで、メーカー（製造元）又はベンダー（販売元）に関する情報は、例えば、メーカー（製造元）又はベンダー（販売元）の名称に対応する情報を含む。
【００２１】
プロセッサ１０１はさらに、電池パック２００が純正品（正規品ともいう。以下同様。）であるか否かを判定するための処理である判定処理Ｐ１を行う判定処理部として動作するように構成されている。例えば、特開２００３−１６２９８６号公報に記載されている判定処理を実施形態１における判定処理Ｐ１として用いてもよい。ただし、実施形態１における判定処理Ｐ１は、特開２００３−１６２９８６号公報に記載されている判定処理に限るものではない。判定処理Ｐ１は、電池パック２００が純正品であるか否かを判定できる判定処理であれば、いかなる判定処理でもよい。判定処理Ｐ１は、例えば、所定の認証処理を含むものでもよい。判定処理Ｐ１は、例えば、所定のデータ変換処理、所定の暗号化処理の少なくとも一つを含むものでもよい。判定処理Ｐ１に用いられる情報のうちプロセッサ１０１で生成された情報は、プロセッサ１０１からプロセッサ２０２に送信される。判定処理Ｐ１に用いられる情報のうちプロセッサ２０２で生成された情報は、プロセッサ２０２からプロセッサ１０１に送信される。
【００２２】
表示器１０２は、例えば、液晶表示器を有する。表示器１０２は、プロセッサ１０１から表示器１０２に供給された電子機器１００に関する情報に対応する画像を表示することができる。電子機器１００は、ユーザが表示器１０２を用いて電子機器１００の状態を知ることができるように構成されている。表示器１０２は、カメラ部１０３によって生成された画像データに対応する画像を表示することもできる。表示器１０２は、カメラ部１０３が記憶媒体から取得した画像データに対応する画像を表示することもできる。
【００２３】
カメラ部１０３は、被写体の光学像から画像データを生成する撮像部と、当該撮像部によって生成された画像データを記憶媒体に格納する格納部と、当該記憶媒体に格納された画像データを当該記憶媒体から取得する取得部とを有する。電子機器１００が撮像装置として動作する場合、カメラ部１０３は、プロセッサ１０１からの指示に従って動作する。
【００２４】
操作部１０４は、タッチパネル部、スイッチ部材などを有し、ユーザからの指示をプロセッサ１０１に入力するためのユーザインターフェースとして動作する。電子機器１００は、ユーザが操作部１０４を用いて電子機器１００を操作できるように構成されている。
【００２５】
＋端子１０５は、電池パック２００から電子機器１００への電力供給に用いられる接続端子である。＋端子１０５は、電池パック２００の＋端子２０４と接続される。
【００２６】
−端子１０６は、電池パック２００から電子機器１００への電力供給に用いられる接続端子である。−端子１０６は、電池パック２００の−端子２０５と接続される。
【００２７】
Ｄ端子１０７は、プロセッサ１０１がプロセッサ２０２との通信に用いる接続端子である。Ｄ端子１０７は、データ通信端子でもある。Ｄ端子１０７は、電池パック２００のＤ端子２０６と接続される。
【００２８】
Ｔ端子１０８は、電池パック２００の温度を検出する場合に用いられる接続端子である。Ｔ端子１０８は、温度端子でもある。Ｔ端子１０８は、電池パック２００のＴ端子２０７と接続される。
【００２９】
図１を参照して、電池パック２００が有する構成要素の一例を説明する。ただし、電池パック２００が有する構成要素は、図１に示す構成要素に限るものではなく、図１に示す構成要素以外の構成要素を含む。
【００３０】
電池パック２００は、例えば、電池パック２００の残量を検出する機能を有する電池パック（バッテリー又はバッテリーパックともいう）である。電池パック２００は、例えば、スマートバッテリーとして動作する。
【００３１】
電池パック２００は、図１に示すように、電池ユニット２０１と、プロセッサ２０２と、温度検出部２０３と、＋端子２０４と、−端子２０５と、Ｄ端子２０６と、Ｔ端子２０７とを有する。
【００３２】
電池ユニット２０１は、１つ以上の電池セルを有する。電池ユニット２０１が有する１つ以上の電池セルはいずれも充電可能な電池である。
【００３３】
プロセッサ２０２は、電池パック２００の動作を制御する制御部として動作するように構成されている。プロセッサ２０２は、電池パック２００に関する情報を管理する電池情報管理部として動作するように構成されている。さらにプロセッサ２０２は、電池パック２００の残量を検出する残量検出部として動作するように構成されている。
【００３４】
プロセッサ２０２はさらに、プロセッサ１０１との通信を制御する通信制御部として動作するように構成されている。プロセッサ２０２は、電池パック２００に関する情報をプロセッサ１０１に送信することができる。電池パック２００に関する情報は、電池パック２００の種類に関する情報、電池パック２００のメーカー（製造元）又はベンダー（販売元）に関する情報、電池パック２００の残量に相当する情報などを含む。ここで、メーカー（製造元）又はベンダー（販売元）に関する情報は、例えば、メーカー（製造元）又はベンダー（販売元）の名称に対応する情報を含む。
【００３５】
温度検出部２０３は、電池パック２００の温度を検出するための温度検出素子（サーミスタ等）として動作する。温度検出部２０３は、−端子２０５及びＴ端子２０７と接続されている。電池パック２００が電子機器１００に接続されている場合、プロセッサ１０１は、温度検出部２０３を用いて電池パック２００の温度を監視することができる。
【００３６】
＋端子２０４は、電池パック２００から電子機器１００への電力供給に用いられる接続端子である。＋端子２０４は、電子機器１００の＋端子１０５と接続される。
【００３７】
−端子２０５は、電池パック２００から電子機器１００への電力供給に用いられる接続端子である。−端子２０５は、電子機器１００の−端子１０６と接続される。
【００３８】
Ｄ端子２０６は、プロセッサ２０２がプロセッサ１０１との通信に用いる接続端子である。Ｄ端子２０６は、データ通信端子でもある。Ｄ端子２０６は、電子機器１００のＤ端子１０７と接続される。
【００３９】
Ｔ端子２０７は、電池パック２００の温度を検出する場合に用いられる接続端子である。Ｔ端子２０７は、温度端子でもある。Ｔ端子２０７は、電子機器１００のＴ端子１０８と接続される。
【００４０】
次に、図２を参照して、図１に示す電子機器１００で行われる制御処理の一例を説明するための図である。図２を参照して説明する制御処理は、例えば、電子機器１００がパワーオン状態にされた後に実行される。
【００４１】
ステップＳ２０１において、プロセッサ１０１は、Ｔ端子１０８の電圧が第１の電圧Ｖ１から第２の電圧Ｖ２までの範囲内にあるか否かを調べることにより、電池パック２００が電子機器１００に接続されているか否かを判定する。ここで、第１の電圧Ｖ１は、第２の電圧Ｖ２よりも小さい。
【００４２】
Ｔ端子１０８の電圧が第１の電圧Ｖ１から第２の電圧Ｖ２までの範囲内にある場合、プロセッサ１０１は、電池パック２００が電子機器１００に接続されていると判定する（ステップＳ２０１でＹＥＳ）。電池パック２００が電子機器１００に接続されていると判定された場合、プロセッサ１０１は、ステップＳ２０１からステップＳ２０２に進む（ステップＳ２０１でＹＥＳ）。
【００４３】
Ｔ端子１０８の電圧が第１の電圧Ｖ１から第２の電圧Ｖ２までの範囲内にない場合、プロセッサ１０１は、電池パック２００が電子機器１００に接続されていないと判定する（ステップＳ２０１でＮＯ）。電池パック２００が電子機器１００に接続されていると判定された場合、プロセッサ１０１は、所定時間ｔ１が経過した後にステップＳ２０１を再び行う（ステップＳ２０１でＮＯ）。
【００４４】
ステップＳ２０２において、プロセッサ１０１は、プロセッサ２０２との通信を開始し、判定処理Ｐ１を開始する。ステップＳ２０２で行われる判定処理Ｐ１は、電池パック２００が純正品であるか否かを判定するための処理である。例えば、特開２００３−１６２９８６号公報に記載されている判定処理を実施形態１における判定処理Ｐ１として用いてもよい。ただし、実施形態１における判定処理Ｐ１は、特開２００３−１６２９８６号公報に記載されている判定処理に限るものではない。判定処理Ｐ１は、電池パック２００が純正品であるか否かを判定できる判定処理であれば、いかなる判定処理でもよい。判定処理Ｐ１は、例えば、所定の認証処理を含むものでもよい。判定処理Ｐ１は、例えば、所定のデータ変換処理、所定の暗号化処理の少なくとも一つを含むものでもよい。
【００４５】
なお、プロセッサ１０１は、判定処理Ｐ１を開始する前に、プロセッサ２０２との通信を行い、電池パック２００のメーカー（製造元）又はベンダー（販売元）に関する情報を電池パック２００から受信するようにしてもよい。或いは、プロセッサ１０１は、判定処理Ｐ１が終了した後に、プロセッサ２０２との通信を行い、電池パック２００のメーカー（製造元）又はベンダー（販売元）に関する情報を電池パック２００から受信するようにしてもよい。
【００４６】
ステップＳ２０２において判定処理Ｐ１が開始された後、プロセッサ１０１は、ステップＳ２０２からステップＳ２０３に進む。ステップＳ２０３において、プロセッサ１０１は、ステップＳ２０２で行われた判定処理Ｐ１の結果に基づいて電池パック２００の認証に成功したか否かを判定する。
【００４７】
判定処理Ｐ１の結果に基づいてプロセッサ１０１が電池パック２００の認証に成功したと判定した場合、プロセッサ１０１は、電池パック２００が純正品であると判定する（ステップＳ２０３でＹＥＳ）。プロセッサ１０１が電池パック２００の認証に成功したと判定した場合、プロセッサ１０１は、ステップＳ２０３からステップＳ２０４に進む（ステップＳ２０３でＹＥＳ）。なお、ステップＳ２０３でＹＥＳである場合、プロセッサ１０１は、電池パック２００は純正品であることをユーザに通知するための通知情報が表示器１０２に表示されるように動作してもよい。
【００４８】
判定処理Ｐ１の結果に基づいて電池パック２００の認証に失敗したとプロセッサ１０１が判定した場合、プロセッサ１０１は、電池パック２００が純正品でないものと判定する（ステップＳ２０３でＮＯ）。ただし、この場合、電池パック２００は、非純正品（模倣品を含む）であるかもしれないし、故障品（故障中の純正品を含む）であるかもしれない。プロセッサ１０１が電池パック２００の認証に失敗したと判定した場合、プロセッサ１０１は、ステップＳ２０３からステップＳ２０５に進む（ステップＳ２０３でＮＯ）。
【００４９】
ステップＳ２０４において、プロセッサ１０１は、第１の動作モードを選択し、電子機器１００が第１の動作モードで動作することを許可する。第１の動作モードは、電池パック２００が純正品である場合の動作である。これにより、ユーザは、電池パック２００の残量が所定の残量を下回るまでの間、電子機器１００を安全に使用することができる。
【００５０】
ステップＳ２０３でＮＯである場合、電池パック２００は、非純正品（模倣品を含む）であるかもしれないし、故障品（故障中の純正品を含む）であるかもしれない。この場合、プロセッサ１０１は、電池パック２００が純正品であるか否かをユーザに問い合わせるために、ステップＳ２０５の処理を開始する。
【００５１】
ステップＳ２０５において、プロセッサ１０１は、例えば、第１の通知情報３００と、ＮＯボタン３０１と、ＹＥＳボタン３０２とが表示器１０２に表示されるように動作する。第１の通知情報３００、ＮＯボタン３０１及びＹＥＳボタン３０２の一例を図３に示す。ユーザは、操作部１０４を操作することにより、ＮＯボタン３０１及びＹＥＳボタン３０２の何れかを押すことができる。
【００５２】
図３を参照し、図１に示す電子機器１００の表示器１０２に表示される第１の通知情報３００の一例を説明する。図３に示す第１の通知情報３００は、例えば、「バッテリーの認証ができません。」を示す情報と、「ご使用のバッテリーは純正品ですか？」を示す情報とを含む。「バッテリーの認証ができません。」を示す情報は、電池パック２００の認証が失敗したことをユーザに通知するための情報である。「ご使用のバッテリーは純正品ですか？」を示す情報は、電池パック２００が純正品であるか否かをユーザに問い合わせるための情報である。
【００５３】
ただし、第１の通知情報３００は、「バッテリーの認証ができません。」及び「ご使用のバッテリーは純正品ですか？」を示す情報に限定されるものではない。例えば、第１の通知情報３００は、「バッテリーの認証ができません。」及び「ご使用のバッテリーは純正品ですか？」に近い意味を有する情報であればどのような情報であってもよい。例えば、「ご使用のバッテリーは純正品ですか？」は、「ご使用のバッテリーはＡ社製ですか？」または「ご使用のバッテリーはＡ社製またはＢ社製ですか？」に変更することができる。例えば、「ご使用のバッテリーは純正品ですか？」は、「ご使用のバッテリーにＡ社のロゴはありますか？」または「ご使用のバッテリーにＡ社またはＢ社のロゴはありますか？」に変更することができる。この場合、Ａ社またはＢ社に相当する情報は、電池パック２００のメーカー（製造元）又はベンダー（販売元）に関する情報から取得するようにしてもよい。
【００５４】
また、第１の通知情報３００は、「バッテリーの認証ができません。」及び「ご使用のバッテリーは純正品ですか？」を示す情報に限定されるものではない。例えば、第１の通知情報３００は、「バッテリーの認証ができません。」及び「ご使用のバッテリーは純正品ですか？」以外の情報を含むものであってもよい。或いは、例えば、第１の通知情報３００は、「バッテリーの認証ができません。」及び「ご使用のバッテリーは純正品ですか？」の少なくとも一つに相当する情報に変更することもできる。
【００５５】
また、第１の通知情報３００は、文字から構成された情報に限定されるものでない。第１の通知情報３００は、例えば、文字、記号、図形及び画像の少なくとも一つから構成された情報であってもよい。
【００５６】
ステップＳ２０５において、第１の通知情報３００とＮＯボタン３０１とＹＥＳボタン３０２とが表示器１０２に表示された後、プロセッサ１０１は、ステップＳ２０５からステップＳ２０６に進む。ステップＳ２０６において、プロセッサ１０１は、ＮＯボタン３０１が押されたか、それともＹＥＳボタン３０２が押されたかを判定する。ＮＯボタン３０１が押されたことは、電池パック２００が純正品でないものであることがユーザによって選択されたことを意味する。一方、ＹＥＳボタン３０２が押されたことは、電池パック２００が純正品であることがユーザによって選択されたことを意味する。ＮＯボタン３０１が押された場合、プロセッサ１０１は、ステップＳ２０６からステップＳ２０９に進む（ステップＳ２０６でＮＯ）。ＹＥＳボタン３０２が押された場合、プロセッサ１０１は、ステップＳ２０６からステップＳ２０７に進む（ステップＳ２０６でＹＥＳ）。
【００５７】
ステップＳ２０６でＹＥＳである場合、電池パック２００は、故障品（故障中の純正品を含む）である可能性が高い。或いは、電池パック２００は、純正品に非常によく似た模倣品かもしれない。或いは、ユーザは、電池パック２００が純正品であると信じているかもしれない。この場合、プロセッサ１０１は、ユーザの安全のため、電子機器１００の故障の可能性を低減するため、或いは電池パック２００が純正品ではないかもしれないことをユーザに知らせるために、ステップＳ２０７の処理を開始する。
【００５８】
ステップＳ２０７において、プロセッサ１０１は、例えば、第２の通知情報４００と、ＯＫボタン４０１とが表示器１０２に表示されるように動作する。第２の通知情報４００及びＯＫボタン４０１の一例を図４に示す。ユーザは、操作部１０４を操作することにより、ＯＫボタン４０１を押すことができる。
【００５９】
図４を参照し、図１に示す電子機器１００の表示器１０２に表示される第２の通知情報４００の一例を説明する。図４に示す第２の通知情報４００は、例えば、「このバッテリーは模倣品の可能性があります。」を示す情報と、「コールセンターにご連絡ください。」を示す情報と、「電源をＯＦＦにします。」を示す情報とを含む。「このバッテリーは模倣品の可能性があります。」を示す情報は、電池パック２００が模倣品であるかもしれないことをユーザに通知するための情報である。「コールセンターにご連絡ください。」を示す情報は、電池パック２００が故障品（故障中の純正品を含む）であるかもしれないことをユーザに通知するための情報である。「電源をＯＦＦにします。」を示す情報は、ユーザの安全のため、或いは電子機器１００の故障の可能性を低減するために、電子機器１００をパワーオフ状態に移行させることをユーザに通知するための情報である。
【００６０】
ただし、第２の通知情報４００は、「このバッテリーは模倣品の可能性があります。」、「コールセンターにご連絡ください。」及び「電源をＯＦＦにします。」を示す情報に限定されるものではない。例えば、第２の通知情報４００は、「このバッテリーは模倣品の可能性があります。」、「コールセンターにご連絡ください。」及び「電源をＯＦＦにします。」に近い意味を有する情報であればどのような情報であってもよい。
【００６１】
また、第２の通知情報４００は、「このバッテリーは模倣品の可能性があります。」、「コールセンターにご連絡ください。」及び「電源をＯＦＦにします。」を示す情報に限定されるものではない。例えば、第２の通知情報４００は、「このバッテリーは模倣品の可能性があります。」、「コールセンターにご連絡ください。」及び「電源をＯＦＦにします。」以外の情報を含むものであってもよい。或いは、例えば、第２の通知情報４００は、「このバッテリーは模倣品の可能性があります。」、「コールセンターにご連絡ください。」及び「電源をＯＦＦにします。」の少なくとも一つに相当する情報に変更することもできる。
【００６２】
また、第２の通知情報４００は、文字から構成された情報に限定されるものでない。第２の通知情報４００は、例えば、文字、記号、図形及び画像の少なくとも一つから構成された情報であってもよい。
【００６３】
第２の通知情報４００及びＯＫボタン４０１が表示器１０２に表示されてから所定時間ｔ２が経過するまでの間にＯＫボタン４０１が押された場合、プロセッサ１０１は、ステップＳ２０８の処理を開始する。第２の通知情報４００及びＯＫボタン４０１が表示器１０２に表示されてから所定時間ｔ２が経過するまでの間にＯＫボタン４０１が押さなかった場合も、プロセッサ１０１は、ステップＳ２０８の処理を開始する。ステップＳ２０８において、プロセッサ１０１は、電子機器１００をパワーオン状態からパワーオフ状態に移行させるように動作する。
【００６４】
一方、ステップＳ２０６でＮＯである場合、電池パック２００は、非純正品（模倣品を含む）である可能性が高い。ところが、ユーザは、電池パック２００が非純正品（模倣品を含む）であることを知った上で、電池パック２００を使用することを望んでいるかもしれない。或いは、ユーザは、電池パック２００が純正品であることをいまだに信じているかもしれない。したがって、プロセッサ１０１は、ユーザが本当に電池パック２００の使用を望んでいるかを問い合わせるために、ステップＳ２０９の処理を開始する。或いは、プロセッサ１０１は、電池パック２００が純正品でないものであるかもしれないことをユーザに気づかせるために、ステップＳ２０９の処理を開始する。
【００６５】
ステップＳ２０９において、プロセッサ１０１は、例えば、第３の通知情報５００と、ＣＡＮＣＥＬボタン５０１と、ＯＫボタン５０２とが表示器１０２に表示されるように動作する。第３の通知情報５００、ＣＡＮＣＥＬボタン５０１及びＯＫボタン５０２の一例を図５に示す。ユーザは、操作部１０４を操作することにより、ＣＡＮＣＥＬボタン５０１及びＯＫボタン５０２の何れかを押すことができる。
【００６６】
図５を参照し、図１に示す電子機器１００の表示器１０２に表示される第３の通知情報５００の一例を説明する。図５に示す第３の通知情報５００は、例えば、「このバッテリーを使用しますか？」を示す情報を含む。「このバッテリーを使用しますか？」を示す情報は、電池パック２００を使用するか否かをユーザに問い合わせるための情報である。「このバッテリーを使用しますか？」を示す情報は、電池パック２００が純正品でないものであるかもしれないことをユーザに気づかせるための情報でもある。なお、「このバッテリーを使用しますか？」とは異なる情報を、電池パック２００が純正品でないものであるかもしれないことをユーザに気づかせるための情報としてもよい。
【００６７】
ただし、第３の通知情報５００は、「このバッテリーを使用しますか？」を示す情報に限定されるものではない。例えば、第３の通知情報５００は、「このバッテリーを使用しますか？」に近い意味を有する情報であればどのような情報であってもよい。
【００６８】
また、第３の通知情報５００は、「このバッテリーを使用しますか？」を示す情報に限定されるものではない。第３の通知情報５００は、「このバッテリーを使用しますか？」以外の情報を含むものであってもよい。
【００６９】
また、第３の通知情報５００は、文字から構成された情報に限定されるものでない。第３の通知情報５００は、例えば、文字、記号、図形及び画像の少なくとも一つから構成された情報であってもよい。
【００７０】
ステップＳ２０９において、第３の通知情報５００とＣＡＮＣＥＬボタン５０１とＯＫボタン５０２とが表示器１０２に表示された後、プロセッサ１０１は、ステップＳ２０９からステップＳ２１０に進む。ステップＳ２１０において、プロセッサ１０１は、ＣＡＮＣＥＬボタン５０１が押されたか、それともＯＫボタン５０２が押されたかを判定する。ＣＡＮＣＥＬボタン５０１が押されたことは、ユーザが電池パック２００の使用を望んでいないことを意味する。一方、ＯＫボタン５０２が押されたことは、ユーザが電池パック２００の使用を望んでいることを意味する。ＣＡＮＣＥＬボタン５０１が押された場合、プロセッサ１０１は、ステップＳ２０８に進む（ステップＳ２１０でＮＯ）。ＯＫボタン５０２が押された場合、プロセッサ１０１は、ステップＳ２１１に進む（ステップＳ２１０でＹＥＳ）。
【００７１】
ステップＳ２１０でＹＥＳである場合、電池パック２００は非純正品（模倣品を含む）である可能性が高い。したがって、プロセッサ１０１は、ユーザの安全のために、ステップＳ２１１の処理を開始する。ステップＳ２１１において、プロセッサ１０１は、第１の動作モードとは異なる第２の動作モードを選択し、電子機器１００が第２の動作モードで動作することを許可する。第２の動作モードは、電池パック２００が非純正品（模倣品を含む）であると仮定した場合の動作モードである。これにより、ユーザは、電池パック２００の残量が所定の残量を下回るまでの間、電子機器１００を安全に使用することができる。
【００７２】
以上説明したように、電子機器１００は、電池パック２００が純正品であるか否かに関する情報等をユーザに通知することができる。これにより、電子機器１００は、ユーザに電池パック２００の種類に適した動作を選択してもらえるようにすることができる。
【００７３】
［実施形態２］
実施形態１で説明した様々な機能、処理及び方法は、パーソナルコンピュータ、マイクロコンピュータ、ＣＰＵ（Ｃｅｎｔｒａｌ  Ｐｒｏｃｅｓｓｉｎｇ  Ｕｎｉｔ）などがプログラムを用いて実現することもできる。以下、実施形態２では、パーソナルコンピュータ、マイクロコンピュータ、ＣＰＵなどを「コンピュータＸ」と呼ぶ。また、実施形態２では、コンピュータＸを制御するためのプログラムであって、実施形態１で説明した様々な機能、処理及び方法を実現するためのプログラムを「プログラムＹ」と呼ぶ。
【００７４】
実施形態１で説明した様々な機能、処理及び方法は、コンピュータＸがプログラムＹを実行することによって実現される。この場合において、プログラムＹは、コンピュータ読み取り可能な記憶媒体を介してコンピュータＸに供給される。実施形態２におけるコンピュータ読み取り可能な記憶媒体は、ハードディスク装置、光ディスク、ＣＤ−ＲＯＭ、ＣＤ−Ｒ、メモリカード、ＲＯＭ、ＲＡＭなどの少なくとも一つを含む。実施形態２におけるコンピュータ読み取り可能な記憶媒体は、ｎｏｎ−ｔｒａｎｓｉｔｏｒｙ（非一時的）な記憶媒体である。
【符号の説明】
【００７５】
１００  電子機器
２００  電池パック
【図１】
2015125426.tif 000003
【図２】
2015125426.tif 000004
【図３】
2015125426.tif 000005
【図４】
2015125426.tif 000006
【図５】
2015125426.tif 000007